(57)【要約】【課題】フィルタの目詰まりが生じ難く、かつ細滓の捕集が良く行われる食器洗い機を提供すること。【解決手段】食器が収納される洗浄槽と、前記洗浄槽内に洗浄水を噴射する回転ノズルを含む噴射手段と、前記噴射手段に前記洗浄水を加圧供給する洗浄ポンプと、前記洗浄ポンプに回収される前記洗浄水に含まれる残滓を捕集する残滓捕集手段とを有する食器洗い機において、前記残滓捕集手段は、粗目フィルタと、細目フィルタを有し、かつ残滓捕集手段を通過する前記洗浄水の上流側に粗目フィルタを、下流側に細目フィルタに配置したことを特徴とする。【選択図】図１
2006122359.tif 000002
【特許請求の範囲】
【請求項１】
食器が収納される洗浄槽と、前記洗浄槽内に洗浄水を噴射する回転ノズルを含む噴射手段と、前記噴射手段に前記洗浄水を加圧供給する洗浄ポンプと、前記洗浄ポンプに回収される前記洗浄水に含まれる残滓を捕集する残滓捕集手段とを有する食器洗い機において、
前記残滓捕集手段は、粗目フィルタと、細目フィルタを有し、かつ残滓捕集手段を通過する前記洗浄水の上流側に粗目フィルタを、下流側に細目フィルタに配置したことを特徴とする食器洗い機。
【請求項２】
請求項１記載の食器洗い機において、
前記残滓捕集手段は、前記粗目フィルタと前記細目フィルタに間に細かな残渣が溜まる空間を有することを特徴とする食器洗い機。
【請求項３】
請求項１記載の食器洗い機において、
前記残滓捕集手段は、残渣が溜まる溜め凹部を有することを特徴とする食器洗い機。
【請求項４】
請求項１記載の食器洗い機において、
前記粗目フィルタと前記細目フィルタは、合体／分離自在なる構成を有することを特徴とする食器洗い機。
【請求項５】
請求項１記載の食器洗い機において、
前記粗目フィルタと前記細目フィルタは、ヒンジで開閉自在に連結されていることを特徴とする食器洗い機。
【請求項６】
請求項１記載の食器洗い機において、
前記残滓捕集手段は、前記粗目フィルタが上側に、前記細目フィルタが下側に位置する二層構造を有することを特徴とする食器洗い機。
【発明の詳細な説明】
【技術分野】
【０００１】
本発明は、残滓フィルタが備わる食器洗い機の改良に係わるものである。
【背景技術】
【０００２】
食器洗い機は、例えば、特許文献１（特開２００２−２１９０８６号公報）に示されるような構成を有する。
【０００３】
特許文献１に示される食器洗い機は、食器が収納される洗浄槽と、前記洗浄槽内に洗浄水を噴射する回転ノズルを含む噴射手段と、前記噴射手段に前記洗浄水を加圧供給する洗浄ポンプと、この洗浄ポンプに回収される前記洗浄水に含まれる残滓を捕集する残滓捕集手段とを有する。
【０００４】
【特許文献１】特開２００２−２１９０８６号公報
【発明の開示】
【発明が解決しようとする課題】
【０００５】
上記特許文献１に示す食器洗い機は、残滓が付着して残滓捕集手段のフィルタに目詰まりが生じると、洗浄水の循環量が低下する。フィルタの網目を大きくすると、目詰まりが生じ難く、洗浄水の循環量が低下は抑えられる。しかし、細滓の捕集が不十分になる恐れが予想される。
【０００６】
本発明は、上記の問題に鑑み、フィルタの目詰まりが生じ難く、かつ細滓の捕集が良く行われる食器洗い機を提供することを目的とする。
【課題を解決するための手段】
【０００７】
本発明は、食器が収納される洗浄槽と、洗浄槽内に洗浄水を噴射する回転ノズルを含む噴射手段と、噴射手段に前記洗浄水を加圧供給する洗浄ポンプと、洗浄ポンプに回収される洗浄水に含まれる残滓を捕集する残滓捕集手段とを有する食器洗い機にあって、残滓捕集手段は、粗目フィルタと、細目フィルタを有し、かつ残滓捕集手段を通過する洗浄水の上流側に粗目フィルタを、下流側に細目フィルタに配置したことを特徴とする。
【発明の効果】
【０００８】
本発明によれば、フィルタの目詰まりが生じ難く、かつ細滓の捕集が良く行われる食器洗い機を提供することができる。
【発明を実施するための最良の形態】
【０００９】
本発明の実施形態に係わる実施例を図１〜図５に沿って説明する。
【００１０】
この実施例に示す食器洗い機は、図３に示すシステムキッチン１に組み込まれる形態のものである。
【００１１】
図３に示すように、食器洗い機の本体外枠２に上下の洗浄ユニット３が引出のように上下に備わる。洗浄ユニット３は、スライドレール機構４により出し入れが容易に行われるように本体外枠２に引出し自在に支持されている。洗浄ユニット３の内側には、洗浄槽５が内置されている。洗浄槽５は、上側が開口する容器のような形状をしている。
【００１２】
図１に示すように、洗浄槽５は、食器棚６を有し、食器棚５にはおわん、小皿、中皿ないし大皿を含む種々の食器７が並べられる。
【００１３】
本体外枠２の奥側内部で、洗浄槽５の背面側になるところには、給水バルブ８および給水ホース９が備わる。給水バルブ８および給水ホース９を通じて、水道水が洗浄槽５に給水される。
【００１４】
図３に示すように、洗浄槽５の内底部には、噴射手段としての回転ノズル２０が回動自在に備わる。回転ノズル２０は、アーム部に複数の噴射孔２１を有する。噴射孔２１は、洗浄水が斜め上向きに噴射する形成されている。洗浄水が斜め上向きに噴射する反動により、回転ノズル２０は回転する。
【００１５】
洗浄ポンプの回転ランナー２２は、回転ノズル２０の中央部に内置される。この洗浄ポンプにより、回転ノズル２０の内部に加圧された洗浄水が供給される。洗浄ポンプの回転ランナー２２を駆動する電動機２３は、洗浄槽５の外底部に設けられる。
【００１６】
電動機２３は、永久磁石の回転子を有するブラシレスモータである。この電動機２３の回転軸に洗浄ポンプの回転ランナー２２が取付けられる。
【００１７】
洗浄水吸込ガイド２４は、回転ノズル２０の下側中央部と洗浄槽５の間に介在し、かつ洗浄槽５との間に吸込通路２５が形成されるように設ける。洗浄水吸込ガイド２４の外周側の吸込口は、洗浄槽５の底部に形成された水溜部２６に対向するように置かれる。
【００１８】
底部仕切り板２７は、洗浄水吸込ガイド２４の上部側とほぼ同じ高さに置かれる。この底部仕切り板２７により、水溜部２６は、洗浄槽５の上側内部と仕切られる。水溜部２６内には、上側に加熱用のヒータ２８が設けられる。
【００１９】
次に残滓捕集手段について述べる。
【００２０】
残滓捕集手段４０は、底部仕切り板２７に設けられる。残滓捕集手段４０は、図４、および図５に示すように、粗目フィルタ４１と、細目フィルタ４２を有する。粗目フィルタ４１は上流側に、細目フィルタ４２は下流側に配置される。粗目フィルタ４１の網目は、直径が１．５ｍｍ、細目フィルタ４２の網目は、直径が０．８ｍｍ程度である。
【００２１】
この残滓捕集手段４０は、底部仕切り板２７に設けたフィルタ取り付け孔に着脱自在に取り付けられる。
【００２２】
粗目フィルタ４１と細目フィルタ４２は、上下に重なる二層構造になる。また、粗目フィルタ４１と細目フィルタ４２は片側がヒンジ４３で連結される。このため、ヒンジ４３を設けることにより、残滓を捨てる際に粗目フィルタ４１と細目フィルタ４２の分離がし易く、元の状態に合体させることも容易である。また、粗目フィルタ４１と細目フィルタ４２はヒンジで連結せずに上下に重なる合体／分離自在なる構成にすることも可能である。
【００２３】
取っ手４４は、ヒンジ４３とは反対側に設けられる。取っ手４４は、細目フィルタ４２にあって立上がるように形成されている。取っ手４４を摘んで、残滓捕集手段４０の取り付け、取り外しができるので、着脱がし易い。
【００２４】
粗目フィルタ４１と細目フィルタ４２は、中央に残滓が溜まる溜め凹部を有する。また、粗目フィルタ４１と細目フィルタ４２の間には、細かな残滓が溜まる空間を設けるようにしても良い。粗目フィルタ４１の溜め凹部を、細目フィルタ４２の溜め凹部よりも大きした。大き目の残滓量が細滓よりも出るからである。
【００２５】
次に食器洗い機の運転について述べる。
【００２６】
電動機２３の運転により、洗浄ポンプの回転ランナー２２が回転し、水溜部２６に溜まる洗浄水は、洗浄水吸込ガイド２４の吸込通路２５を通って吸われ、回転ランナー２２二より加圧されて回転ノズル２０に供給される。その加圧された洗浄水は、噴射孔２１から勢い良く噴射され、その反動で回転ノズル２０は回転する。
【００２７】
回転しながら回転ノズル２０が噴射する洗浄水により、洗浄槽５内の食器は良く洗われる。洗浄後の洗浄水は、洗浄槽５内の底部仕切り板２７に落下し、残滓捕集手段４０を通って水溜部２６に溜まり、再び、吸込通路２５を通って洗浄ポンプに吸われように循環する。
【００２８】
この洗浄水の循環で、洗浄水に含まれる残滓は残滓捕集手段４０に捕集される。この残滓の捕集では、大き目の残滓が粗目フィルタ４１に、細滓が細目フィルタ４２に分けられて捕集される。粗目フィルタ４１が上側（上流側）、細目フィルタ４２が下側（下流側）にあるからである。
【００２９】
粗目フィルタ４１には、大き目の残滓だけが捕集される。このため、多くの残滓が溜まっても洗浄水の流れる隙間が残るので、洗浄水の流通は支障なく維持される。細目フィルタ４２には細滓が溜まるが、大き目の残滓量に比べると少なく、目詰まり来たすのには、かなり時間がかかるので、洗浄水の流通は支障なく維持される。
【００３０】
このように粗目フィルタと細目フィルタを用いて大き目の残滓と細滓を分けて捕集することにより、フィルタ目詰まりが早期発生を抑えることができる。これにより、洗浄水の循環量が低下は抑えられ、しかも細滓の捕集も十分に行われる良さがある。
【図面の簡単な説明】
【００３１】
【図１】本発明の実施形態にかかわるもので、食器洗い機の縦断面図である。
【図２】本発明の実施形態にかかわるもので、食器洗い機の平面図である。
【図３】本発明の実施形態にかかわるもので、食器洗い機の斜視図である。
【図４】本発明の実施形態にかかわるもので、残滓捕集手段の縦断面図である。
【図５】本発明の実施形態にかかわるもので、残滓捕集手段の平面図である。
【符号の説明】
【００３２】
５…洗浄槽と、２０…回転ノズル、２２…回転ランナー、４０…残滓捕集手段、４１…粗目フィルタ、４２…細目フィルタ。
【図１】
2006122359.tif 000003
【図２】
2006122359.tif 000004
【図３】
2006122359.tif 000005
【図４】
2006122359.tif 000006
【図５】
2006122359.tif 000007